(57)【要約】【課題】逆電流に起因するエネルギーロスを低減し、省スペースおよび省配線を図ることができる電路遮断装置および太陽光発電監視システムを提供する。【解決手段】電路遮断装置４は、第１の接続端子１１Ａと、第２の接続端子１２Ａと、第１の接続端子１１Ａから第２の接続端子１２Ａへ順電流を流すために第１および第２の接続端子１１Ａ，１２Ａを電気的に接続する電路１３Ａと、電路１３Ａを開閉する開閉器２１と、電路１３Ａに設けられ第２の接続端子１２Ａから第１の接続端子１１Ａへ流れる逆電流を検知する電流測定部２２（逆電流検知部）と、電路１３Ａを開く開路指令信号を外部から受信する通信部２４と、開閉器２１を制御する制御部２５とを備える。制御部２５は、電流測定部２２で逆電流を検知したとき、または、通信部２４で開路指令信号を受信したとき、電路１３Ａが開くように開閉器２１を動作させる。【選択図】図２
2018033210.tif 000002
【特許請求の範囲】
【請求項１】
電線が接続される第１の接続端子と、
他の電線が接続される第２の接続端子と、
前記第１の接続端子から前記第２の接続端子へ順電流を流すために前記第１および第２の接続端子を電気的に接続する電路と、
前記電路を開閉する開閉器と、
前記電路に設けられ前記第２の接続端子から前記第１の接続端子へ流れる逆電流を検知する逆電流検知部と、
前記電路を開く開路指令信号を外部から受信する通信部と、
前記開閉器を制御する制御部と、を備え、
前記制御部は、前記逆電流検知部で前記逆電流を検知したとき、または、前記通信部で前記開路指令信号を受信したとき、前記電路が開くように前記開閉器を動作させる
ことを特徴とする電路遮断装置。
【請求項２】
前記電路は、前記第１の接続端子に接続され固定された第１の固定側接点部材と、前記第２の接続端子に接続され固定された第２の固定側接点部材と、前記第１および第２の固定側接点部材に対して移動可能な可動側接点部材と、を備え、
前記可動側接点部材は、前記第１および第２の固定側接点部材に接触して前記電路が閉じる閉路位置と、前記第１および第２の固定側接点部材から離間して前記電路が開く開路位置とに移動し、
前記開閉器は、前記可動側接点部材を前記閉路位置から前記開路位置に移動させることで前記電路を開く
ことを特徴とする請求項１に記載の電路遮断装置。
【請求項３】
前記開閉器は、前記可動側接点部材を支持するとともに直線往復運動が可能に設けられた可動部材と、前記可動部材を移動させる弾性部材と、前記可動部材の移動を規制する移動規制部材と、前記可動部材の直線往復運動を妨げない位置に前記移動規制部材を退避させるソレノイドアクチュエータとを備える
ことを特徴とする請求項２に記載の電路遮断装置。
【請求項４】
前記可動部材には、前記可動側接点部材が前記開路位置に位置しているときに前記第１および第２の固定側接点部材と前記可動側接点部材との間に磁場を印加する消弧用磁石が設けられている
ことを特徴とする請求項３に記載の電路遮断装置。
【請求項５】
光を受けて電気エネルギーを生成する複数の太陽電池ストリングと、
請求項１〜４のいずれか一項に記載の電路遮断装置と、
前記電気エネルギーを所定の電力に変換するパワーコンディショナーと、を備え、
複数の前記太陽電池ストリングの各々には、前記電路遮断装置が１対１の関係で直列に接続されるとともに、複数の前記電路遮断装置は、互いに並列に接続され、
前記電路遮断装置が備える前記第１の接続端子は、前記太陽電池ストリングに接続され、前記電路遮断装置が備える前記第２の接続端子は、前記パワーコンディショナーに接続されている
ことを特徴する太陽光発電監視システム。
【発明の詳細な説明】
【技術分野】
【０００１】
本発明は、電路を電気的に接続および切断することが可能な電路遮断装置、および電路遮断装置を用いた太陽光発電監視システムに関する。
【背景技術】
【０００２】
一般的に、太陽光発電システムは、光を受けて電気エネルギーを生成する複数の太陽電池ストリングと、電気エネルギーを所定の電力に変換するパワーコンディショナーと、太陽電池ストリングとパワーコンディショナーとを接続するための電路と、太陽電池ストリングの異常発生時に電路を開く開閉器等を備えている（例えば特許文献１参照）。
【０００３】
また、特許文献１に記載されるように、一般的に、太陽光発電システムは、太陽電池ストリングの出力電流が逆電流として他の太陽電池ストリングに流れることを防ぐために、逆流防止用ダイオードを備えている。一般的に、逆流防止用ダイオードは、開閉器等の電気部品とともに接続箱内に設けられている。
【０００４】
図６は、一般的な接続箱１０１内の概略構成を示している。図６に示すように、接続箱１０１は、太陽電池ストリング２とパワーコンディショナー５とを接続するための電路に設けられた電気部品等を収納している。具体的には、接続箱１０１は、開閉器１１０と、ヒューズホルダー１２０と、センサモジュール１３０と、ダイオードモジュール１４０とを収納している。
【０００５】
開閉器１１０は、操作レバー１１１を備えたスイッチにより構成されており、管理者の操作に応じて電路を開閉する。ヒューズホルダー１２０は、電路に過大電流が流れたときに電路を開くヒューズ１２１，１２２を備えている。センサモジュール１３０は、太陽電池ストリング２の出力電流を測定する電流測定部１３１と、太陽電池ストリング２の出力電圧を測定する電圧測定部１３２とを備えている。ダイオードモジュール１４０は、逆流防止用ダイオード１４１を備えている。接続箱１０１内において、開閉器１１０とヒューズホルダー１２０、ヒューズホルダー１２０とセンサモジュール１３０、および、センサモジュール１３０とダイオードモジュール１４０は、配線Ｗを用いて電気的に接続されている。
【先行技術文献】
【特許文献】
【０００６】
【特許文献１】特開２０１５−２３１２４９号公報
【発明の概要】
【発明が解決しようとする課題】
【０００７】
しかしながら、逆流防止用ダイオード１４１で逆電流を防ぐ構成においては、当該ダイオード１４１においてエネルギーロスが発生するという問題がある。また、逆流防止用ダイオード１４１および当該ダイオード１４１で生じた熱を放散する放熱板等を設置するためのスペースが嵩むという問題や、ダイオードモジュール１４０等の電気部品を配線Ｗで接続することが煩雑であるという問題があった。
【０００８】
本発明は上記事情に鑑みてなされたものであって、その課題は、逆電流に起因するエネルギーロスを低減し、省スペースおよび省配線を図ることができる電路遮断装置および太陽光発電監視システムを提供することにある。
【課題を解決するための手段】
【０００９】
上記課題を解決するために、請求項１に係る電路遮断装置は、電線が接続される第１の接続端子と、他の電線が接続される第２の接続端子と、前記第１の接続端子から前記第２の接続端子へ順電流を流すために前記第１および第２の接続端子を電気的に接続する電路と、前記電路を開閉する開閉器と、前記電路に設けられ前記第２の接続端子から前記第１の接続端子へ流れる逆電流を検知する逆電流検知部と、前記電路を開く開路指令信号を外部から受信する通信部と、前記開閉器を制御する制御部と、を備え、前記制御部は、前記逆電流検知部で前記逆電流を検知したとき、または、前記通信部で前記開路指令信号を受信したとき、前記電路が開くように前記開閉器を動作させることを特徴とする。
【００１０】
また、請求項２に係る電路遮断装置は、請求項１に記載の電路遮断装置において、前記電路は、前記第１の接続端子に接続され固定された第１の固定側接点部材と、前記第２の接続端子に接続され固定された第２の固定側接点部材と、前記第１および第２の固定側接点部材に対して移動可能な可動側接点部材と、を備え、前記可動側接点部材は、前記第１および第２の固定側接点部材に接触して前記電路が閉じる閉路位置と、前記第１および第２の固定側接点部材から離間して前記電路が開く開路位置とに移動し、前記開閉器は、前記可動側接点部材を前記閉路位置から前記開路位置に移動させることで前記電路を開くことを特徴とする。
【００１１】
また、請求項３に係る電路遮断装置は、請求項２に記載の電路遮断装置において、前記開閉器は、前記可動側接点部材を支持するとともに直線往復運動が可能に設けられた可動部材と、前記可動部材を移動させる弾性部材と、前記可動部材の移動を規制する移動規制部材と、前記可動部材の直線往復運動を妨げない位置に前記移動規制部材を退避させるソレノイドアクチュエータとを備えることを特徴とする。
【００１２】
また、請求項４に係る電路遮断装置は、請求項３に記載の電路遮断装置において、前記可動部材には、前記可動側接点部材が前記開路位置に位置しているときに前記第１および第２の固定側接点部材と前記可動側接点部材との間に磁場を印加する消弧用磁石が設けられていることを特徴とする。
【００１３】
また、請求項５に係る太陽光発電監視システムは、光を受けて電気エネルギーを生成する複数の太陽電池ストリングと、請求項１〜４のいずれか一項に記載の電路遮断装置と、前記電気エネルギーを所定の電力に変換するパワーコンディショナーと、を備え、複数の前記太陽電池ストリングの各々には、前記電路遮断装置が１対１の関係で直列に接続されるとともに、複数の前記電路遮断装置は、互いに並列に接続され、前記電路遮断装置が備える前記第１の接続端子は、前記太陽電池ストリングに接続され、前記電路遮断装置が備える前記第２の接続端子は、前記パワーコンディショナーに接続されていることを特徴する。
【発明の効果】
【００１４】
本発明によれば、逆電流に起因するエネルギーロスを低減し、省スペースおよび省配線を図ることができる電路遮断装置および太陽光発電監視システムを提供することができる。
【図面の簡単な説明】
【００１５】
【図１】本発明の一実施形態に係る太陽光発電監視システムの概略構成を示すブロック図である。
【図２】同実施形態に係る電路遮断装置の概略構成を示すブロック図である。
【図３】同実施形態に係る電路遮断装置の上面図である。
【図４】同実施形態に係る電路遮断装置の断面図であって、電路が閉じている状態を示す図である。
【図５】同実施形態に係る電路遮断装置の断面図であって、電路が開いている状態を示す図である。
【図６】従来の接続箱内の概略構成を示すブロック図である。
【発明を実施するための形態】
【００１６】
図面を参照して、本発明の一実施形態について説明する。
図１に示すように、太陽光発電監視システム１は、複数の太陽電池ストリング２と、接続箱３と、接続箱３内に設けられた電路遮断装置４と、パワーコンディショナー５と、外部コントローラー６と、監視装置７とを備えている。
【００１７】
太陽電池ストリング２（以下、「ストリング２」という）は、それぞれ、直列に接続された複数の太陽電池モジュール（図示略）により構成されている。ストリング２は、光を受けて電気エネルギーを生成する。複数のストリング２の各々には、電路遮断装置４が１対１の関係で直列に接続されている。ストリング２が発電することにより、ストリング２から電路遮断装置４に直流電流が供給される。
【００１８】
接続箱３は、１つ以上のストリング２からなる太陽電池アレイに応じて、複数設けられている。接続箱３は、それぞれ、電路遮断装置４を収納しており、複数のストリング２から供給された直流電力を集約してパワコン５に出力する。
【００１９】
電路遮断装置４は、開閉機能付き端子台により構成されている。接続箱３内の複数の電路遮断装置４は、互いに並列に接続されている。電路遮断装置４は、ストリング２とパワコン５とを接続するための電路を開閉する。また、電路遮断装置４は、ストリング２の発電状況を測定し、その発電状況に係る情報を外部コントローラー６に送信する。
【００２０】
パワーコンディショナー５（以下、「パワコン５」という）は、ストリング２で生成された電気エネルギーを所定の電力に変換する。具体的には、パワコン５は、複数の接続箱３から入力された直流電流を、メガソーラーの出力としての交流電流に変換する。
【００２１】
外部コントローラー６は、電路遮断装置４および監視装置７と通信する通信装置により構成されている。外部コントローラー６は、管理者（図示略）が監視装置７を用いて入力した指令に基づいて、指令信号を送信することで電路遮断装置４を制御する。また、外部コントローラー６は、電路遮断装置４からストリング２の発電状況に係る情報を受信して、当該情報を監視装置７に送信する。
【００２２】
監視装置７は、管理者が使用する据置型または携帯型の情報端末装置により構成されている。監視装置７は、管理者が指令を入力するための入力装置（図示略）、および、ストリング２の発電状況に係る情報を管理者に表示するための表示装置等を備えている。管理者は、表示されたストリング２の発電状況を参照して、電路遮断装置４により電路を開く必要があるか否かを判断し、電路を開く指令を監視装置７に入力することができる。
【００２３】
図２を参照して、電路遮断装置４の電気的構成を説明する。
図２に示すように、電路遮断装置４は、ストリング２に接続されている第１の接続端子１１Ａ，１１Ｂと、パワコン５に接続されている第２の接続端子１２Ａ，１２Ｂと、電路１３Ａ，１３Ｂとを備えている。
【００２４】
第１の接続端子１１Ａには、ストリング２のプラス端子（図示略）に繋がる電線が接続され、第１の接続端子１１Ｂには、ストリング２のマイナス端子（図示略）に繋がる電線が接続される。以下、一対の第１の接続端子１１Ａ，１１Ｂを、まとめて「第１の接続端子１１」という。
【００２５】
第２の接続端子１２Ａには、パワコン５のプラス端子（図示略）に繋がる電線が接続され、第２の接続端子１２Ｂには、パワコン５のマイナス端子（図示略）に繋がる電線が接続される。以下、一対の第２の接続端子１２Ａ，１２Ｂを、まとめて「第２の接続端子１２」という。
【００２６】
電路１３Ａ，１３Ｂは、第１の接続端子１１および第２の接続端子１２間の電気回路である。電路１３Ａは、第１の接続端子１１Ａから第２の接続端子１２Ａへ直流の順電流を流すために、第１および第２の接続端子１１Ａ，１２Ａを電気的に接続している。また、電路１３Ｂは、第１および第２の接続端子１１Ｂ，１２Ｂを電気的に接続している。以下、一対の電路１３Ａ，１３Ｂを、まとめて「電路１３」という。電路１３は、第１の接続端子１１に電気的に接続され固定された第１の固定側接点部材１４と、第２の接続端子１２に電気的に接続され固定された第２の固定側接点部材１５と、固定側接点部材１４，１５に対して移動可能な可動側接点部材１６とを備えている。電路１３は、電路１３Ａ，１３Ｂの各々に応じた接点部材１４，１５，１６を２つずつ有している。
【００２７】
さらに、電路遮断装置４は、電路１３を開閉する開閉器２１と、ストリング２の出力電流および出力電圧を測定する電流測定部２２および電圧測定部２３と、外部コントローラー６と通信する通信部２４と、制御部２５と、電路１３に設けられたヒューズ２６Ａ，２６Ｂとを備えている。
【００２８】
開閉器２１は、第１の固定側接点部材１４および第２の固定側接点部材１５に対して可動側接点部材１６を接触させることで電路１３を閉じ、第１の固定側接点部材１４および第２の固定側接点部材１５から可動側接点部材１６を離間させることで電路１３を開く。
【００２９】
電流測定部２２は、電路１３Ａに設けられたホールＣＴ（Current Transformer：変流器）またはフラックスゲートＣＴにより構成されている。電流測定部２２は、電路１３Ａに流れる電流の大きさを検出することで、ストリング２の出力電流を測定する。また、電流測定部２２は、電路１３Ａに流れる電流の向きを検出することで、第２の接続端子１２Ａから第１の接続端子１１Ａへ流れる直流の逆電流を検知する逆電流検知部として機能する。
【００３０】
電圧測定部２３は、電路１３Ａ，１３Ｂ間に設けられたＤＣＶＴ（Direct Current Voltage Transformer：直流変圧器）により構成されている。電圧測定部２３は、電路１３Ａ，１３Ｂ間の電位差を検出することで、ストリング２の出力電圧を測定する。
【００３１】
通信部２４は、有線通信または無線通信を行う通信モジュールにより構成されている。通信部２４は、監視装置７に入力された管理者の指令に応じた指令信号を、外部コントローラー６から受信する。ストリング２とパワコン５とを繋ぐ電路を開く指令が監視装置７に入力されたとき、通信部２４は、電路１３を開く開路指令信号を受信する。また、通信部２４は、ストリング２の発電状況に係る情報を外部コントローラー６に送信する。
【００３２】
制御部２５は、予め組み込まれたプログラムおよび外部からの指令信号に基づいて動作する制御回路により構成されている。具体的には、制御部２５は、電流測定部２２で逆電流を検知したとき、または、通信部２４で開路指令信号を受信したとき、電路１３が開くように開閉器２１を制御する。すなわち、制御部２５は、電流測定部２２で逆電流を検知したときと、通信部２４で開路指令信号を受信したときは、閉状態から開状態に遷移するように開閉器２１を動作させる。したがって、制御部２５は、電流測定部２２で順電流を検知しているとき、かつ、通信部２４で開路指令信号を受信していないときは、閉状態の開閉器２１を動作させない。なお、電路１３に過大電流が流れるときは、ヒューズ２６Ａ，２６Ｂが電路１３を開くため、制御部２５は、電流測定部２２で逆電流を検知したときであっても開閉器２１を動作させない。また、制御部２５は、電流測定部２２および電圧測定部２３での測定結果を、ストリング２の発電状況に係る情報として通信部２４に送信させる。
【００３３】
ヒューズ２６Ａは、電路１３Ａに設けられ、電路１３Ａに過大電流が流れたときに、電路１３Ａを開く。ヒューズ２６Ｂは、電路１３Ｂに設けられ、電路１３Ｂに過大電流が流れたときに、電路１３Ｂを開く。ヒューズ２６Ａ，２６Ｂは、短絡故障時等において開閉器２１で遮断することができない過大電流を遮断する。以下、一対のヒューズ２６Ａ，２６Ｂを、まとめて「ヒューズ２６」という。
【００３４】
図３〜５を参照して、電路遮断装置４の機械的構成を説明する。なお、図中の矢印で示す前後方向Ｘと左右方向Ｙと上下方向Ｚは、互いに直交する方向である。また、上下方向Ｚは、鉛直な方向に限定されない。
【００３５】
また、図４および図５は、図３のＡ−Ａ部におけるケーシング３１の断面を示している。図４および図５では、電路１３Ｂ（図２参照）に設けられる電気部品、および電路１３Ｂを開閉する機械部品のみを図示し、電路１３Ａ（図２参照）に設けられる電気部品の図示、および電路１３Ａを開閉する機械部品の図示は、省略されている。
【００３６】
図３に示すように、電路遮断装置４は、レールＲ上に取り付けられるケーシング３１と、ケーシング３１に対して着脱可能な一対のヒューズホルダー３２とを備えている。電路遮断装置４は、左右方向Ｙに延びている同一のレールＲ上に複数並べて配置することができる。
【００３７】
ケーシング３１は、電気的絶縁性を有する樹脂材料により形成され、電路１３の構成部品および開閉器２１の構成部品等を収納している。なお、図３〜５において、電路１３の一部、電流測定部２２、電圧測定部２３、通信部２４、および、制御部２５等の図示は省略されている。ケーシング３１内の前側端部には、第１の接続端子１１が設けられ、ケーシング３１内の後側端部には、第２の接続端子１２が設けられている。
【００３８】
図４および図５に示すように、ケーシング３１内には、消弧室３１Ａおよび電子部品収容室３１Ｂ等が設けられている。
消弧室３１Ａは、アーク放電を消滅させるための空間を形成している。消弧室３１Ａの内部には、第１の固定側接点部材１４、第２の固定側接点部材１５、および、可動側接点部材１６が設けられている。
【００３９】
電子部品収容室３１Ｂは、電子部品を収容するための空間を形成している。電子部品収容室３１Ｂの内部には、電流測定部２２、電圧測定部２３、通信部２４、および、制御部２５が設けられている。
【００４０】
ヒューズホルダー３２は、電気的絶縁性を有する樹脂材料により形成され、ヒューズ２６を保持している。ヒューズホルダー３２をケーシング３１から取り外すことで、ヒューズ２６を容易に交換することができ、ヒューズホルダー３２をケーシング３１に取り付けることで、電路１３にヒューズ２６を容易に設けることができる。
【００４１】
開閉器２１は、可動側接点部材１６を支持するとともに直線往復運動が可能に設けられた可動部材４１と、可動部材４１を移動させる弾性部材４２と、可動部材４１の移動を規制する移動規制部材４３と、可動部材４１の直線往復運動を妨げない位置に移動規制部材４３を退避させるソレノイドアクチュエータ４４とを備えている。
【００４２】
可動部材４１は、上下方向Ｚに延びた棒状のスライダーにより構成されている。可動部材４１は、上下方向Ｚに沿った直線往復運動により、固定側接点部材１４，１５と可動側接点部材１６とを接触させて電路１３を閉じる位置（図４参照）と、固定側接点部材１４，１５と可動側接点部材１６とを離間させて電路１３を開く位置（図５参照）とに移動する。可動部材４１は、移動規制部材４３を引っ掛けることが可能な凹部４１Ａを有している。
【００４３】
弾性部材４２は、可動部材４１の下方に設けられたコイルばねにより構成されている。弾性部材４２は、可動部材４１が下方に移動することによって圧縮される。すなわち、弾性部材４２は、可動部材４１が閉路位置に移動することによって弾性変形し、可動部材４１が開路位置に移動するように付勢する。
【００４４】
移動規制部材４３は、可動部材４１の一部である凹部４１Ａに引っ掛かるストッパーにより構成されている。移動規制部材４３は、可動部材４１が直線往復運動する方向に対して垂直な方向である前後方向Ｘにおいて、移動可能に設けられている。移動規制部材４３は、可動部材４１の凹部４１Ａに引っ掛かることによって、閉路位置に位置する可動部材４１の移動を規制する。また、移動規制部材４３は、後方に移動することによって凹部４１Ａから抜け出て、可動部材４１の直線往復運動を妨げない位置に退避する。こうして、上下方向Ｚにおける可動部材４１の移動規制が解除される。
【００４５】
ソレノイドアクチュエータ４４は、前後方向Ｘに移動可能な磁性体シャフト４４Ａを備えるリニアアクチュエータにより構成されている。ソレノイドアクチュエータ４４は、制御部２５により制御され、制御部２５が開閉器２１を閉状態から開状態に遷移させるとき、ソレノイドアクチュエータ４４が動作することで、磁性体シャフト４４Ａが後方に移動する。磁性体シャフト４４Ａは、移動規制部材４３に連結されており、磁性体シャフト４４Ａが後方に移動することにより、移動規制部材４３も後方に移動する。
【００４６】
なお、可動部材４１と弾性部材４２と移動規制部材４３は、一対の電路１３Ａ，１３Ｂに応じてケーシング３１内に２つずつ設けられているが、ソレノイドアクチュエータ４４はケーシング３１内に１つだけ設けられている。すなわち、１つのソレノイドアクチュエータ４４が動作することにより、電路１３Ａ，１３Ｂを開閉するための２つの可動部材４１が閉路位置に移動する。
【００４７】
さらに、開閉器２１は、可動側接点部材１６を固定側接点部材１４，１５に押さえつけるための弾性部材４５と、ソレノイドアクチュエータ４４が動作していないときに可動部材４１の移動規制が解除されることを防ぐための弾性部材４６と、開路用操作レバー４７と、閉路用操作レバー４８と、消弧用磁石４９とを備えている。
【００４８】
弾性部材４５は、可動側接点部材１６の上方に設けられたコイルばねにより構成されている。弾性部材４５は、可動部材４１が下方に移動することによって圧縮され、可動部材４１が閉路位置に位置しているとき、可動側接点部材１６を固定側接点部材１４，１５に密着させる。
【００４９】
弾性部材４６は、前後方向Ｘにおいて圧縮された圧縮コイルばねにより構成されている。弾性部材４６は、移動規制部材４３を前方に押さえつけている。こうして、ソレノイドアクチュエータ４４が動作していないとき、および、所定以上の力が開路用操作レバー４７に付与されていないときに、移動規制部材４３が後方に移動しないように構成されている。
【００５０】
開路用操作レバー４７は、ソレノイドアクチュエータ４４を動作させずに移動規制部材４３を後方に移動させるための操作部材である。開路用操作レバー４７は、上下方向Ｚに移動可能かつ所定の回転軸Ｒ１を中心に回転可能に構成されている。図４中の二点鎖線で示すように、開路用操作レバー４７の上端部を上方に引き上げて前方に傾動させることにより、開路用操作レバー４７の下端部と連動して移動規制部材４３が後方に移動する。
【００５１】
閉路用操作レバー４８は、可動部材４１を下方に押し下げるための操作部材である。閉路用操作レバー４８は、可動部材４１の上端部に連結され、所定の回転軸Ｒ２を中心に回転可能に構成されている。閉路用操作レバー４８は、ケーシング３１から上方に突出しており、閉路用操作レバー４８の突出態様に基づいて、電路１３が閉じているか否かを確認することができる。可動部材４１が開路位置に位置するときは、図５中の二点鎖線で示すように、閉路用操作レバー４８を後方に傾動させることにより、ケーシング３１からの閉路用操作レバー４８の突出量を小さくすることができる。
【００５２】
消弧用磁石４９は、可動部材４１に設けられた永久磁石である。消弧用磁石４９は、可動部材４１とともに上下方向Ｚに移動し、可動側接点部材１６が開路位置に位置しているときに、消弧室３１Ａ内で固定側接点部材１４，１５と可動側接点部材１６との間に磁場を印加する。
【００５３】
なお、弾性部材４５，４６と開路用操作レバー４７と閉路用操作レバー４８と消弧用磁石４９は、一対の電路１３Ａ，１３Ｂに応じてケーシング３１内に２つずつ設けられている。一対の開路用操作レバー４７は、連動するようにピン４７Ａ（図３参照）により連結されている。また、一対の閉路用操作レバー４８も、連動するようにピン４８Ａ（図３参照）により連結されている。
【００５４】
固定側接点部材１４，１５は、ケーシング３１内において固定された導電部材である。第１の固定側接点部材１４と第２の固定側接点部材１５は、前後方向Ｘにおいて間隔をあけて設けられており、それらの端部には、可動側接点部材１６と接触する突起状の電極１４Ａ，１５Ａが設けられている。なお、本実施形態では、第１の固定側接点部材１４は、第１の接続端子１１を構成する導電部材と同一部品であり、第２の固定側接点部材１５は、ヒューズ２６に接続される導電部材である。
【００５５】
可動側接点部材１６は、ケーシング３１内において上下方向Ｚに移動する導電部材である。可動側接点部材１６は、可動部材４１と連動して、固定側接点部材１４，１５に接触して電路１３が閉じる閉路位置（図４参照）と、固定側接点部材１４，１５から離間して電路１３が開く開路位置（図５参照）とに移動する。可動側接点部材１６は、固定側接点部材１４，１５の電極１４Ａ，１５Ａ間に架け渡されるように前後方向Ｘに延びており、左右方向Ｘにおける可動側接点部材１６の両端部には、固定側接点部材１４，１５の電極１４Ａ，１５Ａと接触する突起状の電極１６Ａ，１６Ｂが設けられている。
【００５６】
本実施形態によれば以下の効果が得られる。
（１）電路遮断装置４は、電路１３Ａに設けられ第２の接続端子１２Ａから第１の接続端子１１Ａへ流れる逆電流を検知する電流測定部２２（逆電流検知部）と、電路１３Ａを開く開路指令信号を外部から受信する通信部２４と、開閉器２１を制御する制御部２５とを備え、制御部２５は、電流測定部２２で逆電流を検知したとき、または、通信部２４で開路指令信号を受信したとき、電路１３が開くように開閉器２１を動作させる。この構成によれば、逆流防止用ダイオード１４１（図６参照）を用いることなく、電路１３を開くことで逆電流が発生しないようにすることができる。このため、従来の逆流防止用ダイオード１４１を用いて逆電流を防ぐ構成に比べて、逆電流に起因するエネルギーロスを低減することができる。
【００５７】
また、逆流防止用ダイオード１４１を用いて逆電流を防ぐ構成に比べて、逆流防止用ダイオード１４１および当該ダイオード１４１で生じた熱を放散する放熱板等を設置するためのスペースが不要になるため、接続箱３内における省スペースを図ることができる。また、逆流防止用ダイオード１４１が不要になること、および、開閉器２１と電流測定部２２と通信部２４と制御部２５とを電路遮断装置４に設けてユニット化することにより、接続箱３における省配線を図ることができる。また、接続箱３にブレーカーを設けることが不要となるため、接続箱３内における省スペース、および、コストの低減を図ることができる。
【００５８】
また、電流測定部２２で逆電流を検知したとき、または、通信部２４で開路指令信号を受信したとき、電路１３が開くように開閉器２１が動作するため、電路１３を開くために管理者が接続箱３の設置場所に出向く必要がなくなり、速やかに電路１３を開くことが可能となる。
【００５９】
（２）開閉器２１は、可動側接点部材１６を支持するとともに直線往復運動が可能に設けられた可動部材４１と、可動部材４１を移動させる弾性部材４２と、可動部材４１の移動を規制する移動規制部材４３と、可動部材４１の直線往復運動を妨げない位置に移動規制部材４３を退避させるソレノイドアクチュエータ４４とを備える。この構成によれば、応答速度の速いソレノイドアクチュエータ４４が移動規制部材４３を退避させるとともに、弾性部材４２の復元力によって可動部材４１が瞬間的に移動するため、電路１３を素早く開くことができ、固定側接点部材１４，１５と可動側接点部材１６との間における放電アークの発生を効果的に防ぐことができる。
【００６０】
（３）可動部材４１には、可動側接点部材１６が開路位置に位置しているときに固定側接点部材１４，１５と可動側接点部材１６との間に磁場を印加する消弧用磁石４９が設けられている。この構成によれば、放電アークの発生をより効果的に防ぐことができる。
【００６１】
（４）電路遮断装置４は、電路１３に設けられたヒューズ２６をさらに備えるため、仮に開閉器２１が動作しない場合であっても、大きな逆電流が発生することを防ぐことができる。
【００６２】
（５）複数のストリング２の各々には、電路遮断装置４が１対１の関係で直列に接続されるとともに、複数の電路遮断装置４は、互いに並列に接続され、第１の接続端子１１はストリング２に接続され、第２の接続端子１２はパワコン５に接続されている。この構成によれば、電路１３を開くことでストリング２の出力電流が逆電流として他のストリング２に流れないようにすることができる。
【００６３】
本発明は、上記実施形態に限定されるものではなく、上記構成を変更することもできる。例えば、以下のように変更して実施することもでき、以下の変更を組み合わせて実施することもできる。
【００６４】
・電路遮断装置４の内部構成を適宜変更してもよい。具体的には、例えば、電流測定部２２が、電路１３Ｂに流れる電流の向きを検出することで、第２の接続端子１２Ａから第１の接続端子１１Ａへ流れる直流の逆電流を検知してもよい。この場合、電流が第１の接続端子１１Ｂから第２の接続端子１２Ｂへ流れることを検出することにより、第２の接続端子１２Ａから第１の接続端子１１Ａへ流れる逆電流が検知される。また、電路遮断装置４から電圧測定部２３を省略してもよい。
【００６５】
・可動部材４１および可動側接点部材１６を素早く移動させることができるのであれば、コイルばね以外の弾性部材を採用してもよい。また、移動規制部材４３を退避させることができるのであれば、ソレノイドアクチュエータ以外のアクチュエータを採用してもよい。また、電路１３Ａを開閉するためのアクチュエータと電路１３Ａを開閉するためのアクチュエータとを共用する構成でなくてもよい。
【００６６】
・消弧用磁石４９の配置を変更してもよい。例えば、消弧用磁石４９が、消弧室３１Ａ内に固定されていてもよい。また、消弧用磁石４９が電磁石であってもよい。また、消弧用磁石４９を省略してもよい。
【符号の説明】
【００６７】
１  太陽光発電監視システム
２  太陽電池ストリング
３  接続箱
４  電路遮断装置
５  パワーコンディショナー
１１，１１Ａ，１１Ｂ  第１の接続端子
１２，１２Ａ，１２Ｂ  第２の接続端子
１３，１３Ａ，１３Ｂ  電路
１４  第１の固定側接点部材
１５  第２の固定側接点部材
１６  可動側接点部材
２１  開閉器
２２  電流測定部（逆電流検知部）
２３  電圧測定部
２４  通信部
２５  制御部
２６，２６Ａ，２６Ｂ  ヒューズ
４１  可動部材
４２  弾性部材
４３  移動規制部材
４４  ソレノイドアクチュエータ
４５，４６  弾性部材
４７  開路用操作レバー
４８  閉路用操作レバー
４９  消弧用磁石
【図１】
2018033210.tif 000003
【図２】
2018033210.tif 000004
【図３】
2018033210.tif 000005
【図４】
2018033210.tif 000006
【図５】
2018033210.tif 000007
【図６】
2018033210.tif 000008